(57)【要約】      （修正有）【課題】ヘアドライヤーのための回転式空気指向装置を提供する。【解決手段】ヘアドライヤーのバレルのための回転式空気指向装置であって、入口開口部１４２および出口開口部１４４を有する管状アダプタ部材１４０であり、該入口開口部１４２は、該ヘアドライヤーの該バレルに取り外し可能に結合される。管状アダプタ部材１４０に回転可能に結合されたプロペラ部材１１２は、中心シリンダ１２０から延びる複数の湾曲した翼１２２、１２４、１２６を備える。プロペラ部材１１２ならびに該管状アダプタ部材１４０の該出口開口部１４４に隣接して配置され、そして該プロペラ部材１１２と一緒に回転するように適合されたノズル部材１４６は、角度付き管状部材を備え、該角度付き管状部材は、該管状アダプタ部材１４０の該出口開口部１４４に対して鋭角で配置されたノズル開口部を有する。【選択図】図１
2014030722.tif 000002
【特許請求の範囲】
【請求項１】
ヘアドライヤーのバレルのための回転式空気指向装置であって、該装置は：
入口開口部および出口開口部を有する管状アダプタ部材であって、該入口開口部は、該ヘアドライヤーの該バレルに取り外し可能に結合されるように適合されている、管状アダプタ部材；
該管状アダプタ部材に回転可能に結合されたプロペラ部材であって、該プロペラ部材は、中心シリンダから延びる複数の湾曲した翼を備える、プロペラ部材；ならびに
該管状アダプタ部材の該出口開口部に隣接して配置され、そして該プロペラ部材と一緒に回転するように適合されたノズル部材であって、該ノズル部材は、角度付き管状部材を備え、該角度付き管状部材は、該管状アダプタ部材の該出口開口部に対して鋭角で配置されたノズル開口部を有する、ノズル部材；
を備える、回転式空気指向装置。
【請求項２】
前記プロペラ部材を回転可能に係合する前記管状アダプタ部材の内表面に配置された、少なくとも１つのストッパ部材をさらに備える、請求項１に記載の回転式空気指向装置。
【請求項３】
前記少なくとも１つのストッパ部材は、前記入口開口部に近接する第一のストッパ部材、および前記出口開口部に近接する第二のストッパ部材を備える、請求項２に記載の回転式空気指向装置。
【請求項４】
前記第一のストッパの外周および前記第二のストッパの外周ならびに前記管状アダプタ部材の内周は、少なくとも１つの平坦部分以外は実質的に円形であり、そして前記プロペラ部材が回転する間、該第一のストッパおよび該第二のストッパは、該管状アダプタ部材と一緒に静止したままである、請求項３に記載の回転式空気指向装置。
【請求項５】
前記プロペラ部材の前記中心シリンダの両端部は、前記第一のストッパ部材の中心開口部分および前記第二のストッパ部材の中心開口部分のそれぞれの内部に回転可能に配置されている、請求項３に記載の回転式空気指向装置。
【請求項６】
前記ノズル部材の内表面に配置された第三のストッパ部材をさらに備える、請求項３に記載の回転式空気指向装置。
【請求項７】
前記プロペラ部材の前記中心シリンダの最遠位端は、前記第三のストッパ部材の中心開口部分の内部に配置されている、請求項６に記載の回転式空気指向装置。
【請求項８】
前記中心シリンダの前記最遠位端の外周、および前記第三のストッパ部材の前記中心開口部分の内周は、少なくとも１つの平坦部分以外は実質的に円形であり、そして該第三のストッパ部材は、前記プロペラ部材と一緒に回転する、請求項７に記載の回転式空気指向装置。
【請求項９】
前記第三のストッパ部材の外周および前記ノズル部材の内周は、少なくとも１つの平坦部分以外は実質的に円形であり、そして該ノズル部材は、該第三のストッパ部材および前記プロペラ部材と一緒に回転する、請求項８に記載の回転式空気指向装置。
【請求項１０】
前記プロペラ部材の前記中心シリンダの開口部分を通って延びるシャフトをさらに備え、該シャフトは、前記第一のストッパと、前記第二のストッパと、前記第三のストッパとを、該シャフトの両端の間で該中心シリンダ上に保持する、請求項６に記載の回転式空気指向装置。
【請求項１１】
前記第一のストッパと、前記第二のストッパと、前記第三のストッパとは、前記シャフトのヘッドとナットとの間に保持される、請求項１０に記載の回転式空気指向装置。
【請求項１２】
前記複数の湾曲した翼は、第一の湾曲した翼、第二の湾曲した翼および第三の湾曲した翼を備える、請求項１に記載の回転式空気指向装置。
【請求項１３】
前記ノズル開口部は、形状が卵円形であり、前記出口開口部の平坦な周の線上の点から、該出口開口部の中心と該出口開口部の該平坦な周上の反対側の点との間の線上の点まで延びる、最長直径を有する、請求項１に記載の回転式空気指向装置。
【請求項１４】
前記プロペラ部材は、前記回転式空気指向装置の外側部分に、少なくともシャフトを介して固定されている、請求項１に記載の回転式空気指向装置。
【請求項１５】
回転式空気指向装置を用いてヘアドライヤーの空気を指向する方法であって、該方法は：
管状アダプタ部材の入口開口部において、該ヘアドライヤーからの空気を受容する工程；
該管状アダプタ部材に回転可能に結合されたプロペラ部材を回転させるように該空気を指向する工程であって、該空気は、該管状アダプタ部材の出口開口部を通して、ノズルの入口開口部内へと指向されて、該ノズルを回転させる、工程；および
該空気流を該ノズルの出口開口部に通してさらに指向する工程であって、該ノズルの該出口開口部は該管状アダプタ部材の該出口開口部に対して鋭角で配置されている、工程
を包含する、方法。
【請求項１６】
ヘアドライヤーのバレルのための回転式空気流指向付属品であって、該付属品は：
Ａ）入口開口部および出口開口部を有する管状アダプタであって、該入口開口部は、該ヘアドライヤーの該バレルに取り外し可能に結合されるように適合されている、管状アダプタ；
Ｂ）該管状アダプタに回転可能に結合された回転部材内に配置された１つ以上の翼であって、該回転部材は、少なくともシャフトを介して、該付属品の外側部分に固定されている、１つ以上の翼；
Ｃ）該管状アダプタの該出口開口部に隣接して配置され、該１つ以上の翼と一緒に回転するように適合されたノズルであって、該ノズルは、該管状アダプタの該出口開口部に対して鋭角で配置された開口部を有する、ノズル、
を備え、
Ｄ）該ノズルは、切頭斜円錐形状を有する、
回転式空気流指向付属品。
【請求項１７】
付属品を用いてヘアドライヤーの空気流を指向する方法であって、該方法は：
Ａ）管状アダプタの入口開口部において、該ヘアドライヤーからの空気流を受容する工程；
Ｂ）該管状アダプタに回転可能に結合された回転部材内に配置された１つ以上の翼を回転させるように該空気流を指向する工程であって、該空気流は、該管状アダプタの出口開口部を通して、切頭斜円錐形状を有するノズルの入口開口部内へと指向されて、シャフトの周りで該ノズルを回転させる、工程；および
Ｃ）該空気流を該ノズルの出口開口部に通してさらに指向する工程であって、該ノズルの該出口開口部は形状が卵円形である、工程
を包含する、方法。
【請求項１８】
前記ノズルの前記出口開口部を出る前記空気流は、操作者が前記ヘアドライヤーを乾燥させられるべき毛髪に対して手で操作するときに達成されるパターンに類似した加熱された空気流の動く回転するパターンを有する、請求項１７に記載の方法。
【請求項１９】
前記ノズルと１つ以上の翼との構成が、該ノズルおよび／または該１つ以上の翼を１５００ＲＰＭ〜２５００ＲＰＭの速度で回転させることによって、前記出口からの拍動空気流を発生させる、請求項１８に記載の方法。
【発明の詳細な説明】
【技術分野】
【０００１】
（関連出願の引用）
本願は、米国特許出願番号１３／５６４，２６７（２０１２年８月１日出願）および米国特許出願番号１３／７２０，２９９（２０１２年１２月１９日出願）に対する優先権を主張する。これらの両方の米国特許出願の内容は、本明細書中に参考として援用される。
【０００２】
（発明の背景）
（１．発明の分野）
本発明は一般に、ヘアドライヤーの分野に関し、そしてより特定すると、ヘアドライヤーからの空気の円形の流れを方向付けるための回転部材を有するデバイスに関する。
【背景技術】
【０００３】
（２．関連技術の説明）
ヘアドライヤーからの空気流を方向付ける多数のデバイスが公知である。これらのデバイスは、回転しながら空気を鋭角に曲げる、ノズル付属品または出口を備える。これらの付属品は、そのヘアドライヤーを出る空気によって押される、内部翼の使用によって回転を可能にされる。これらの翼は代表的に、この付属品内の中心点に接続され、そしてこの中心点の周りで回転する。この回転式付属品を出る空気の方向は、これによって常に変化させられ、時々、円形のパターンで変化させられる。しかし、この付属品から出る空気流は本質的に直線状のままであり、そしてこれらの翼は、この直線状の流れが方向付けられる方向を変化させるようにのみ働く。
【発明の概要】
【課題を解決するための手段】
【０００４】
本発明は、例えば、以下を提供する：
（項目１Ａ）
ヘアドライヤーのバレルのための回転式空気指向装置であって、該装置は：
入口開口部および出口開口部を有する管状アダプタ部材であって、該入口開口部は、該ヘアドライヤーの該バレルに取り外し可能に結合されるように適合されている、管状アダプタ部材；
該管状アダプタ部材に回転可能に結合されたプロペラ部材であって、該プロペラ部材は、中心シリンダから延びる複数の湾曲した翼を備える、プロペラ部材；ならびに
該管状アダプタ部材の該出口開口部に隣接して配置され、そして該プロペラ部材と一緒に回転するように適合されたノズル部材であって、該ノズル部材は、角度付き管状部材を備え、該角度付き管状部材は、該管状アダプタ部材の該出口開口部に対して鋭角で配置されたノズル開口部を有する、ノズル部材；
を備える、回転式空気指向装置。
（項目２Ａ）
上記プロペラ部材を回転可能に係合する上記管状アダプタ部材の内表面に配置された、少なくとも１つのストッパ部材をさらに備える、上記項目に記載の回転式空気指向装置。
（項目３Ａ）
上記少なくとも１つのストッパ部材は、上記入口開口部に近接する第一のストッパ部材、および上記出口開口部に近接する第二のストッパ部材を備える、上記項目のいずれかに記載の回転式空気指向装置。
（項目４Ａ）
上記第一のストッパの外周および上記第二のストッパの外周ならびに上記管状アダプタ部材の内周は、少なくとも１つの平坦部分以外は実質的に円形であり、そして上記プロペラ部材が回転する間、該第一のストッパおよび該第二のストッパは、該管状アダプタ部材と一緒に静止したままである、上記項目のいずれかに記載の回転式空気指向装置。
（項目５Ａ）
上記プロペラ部材の上記中心シリンダの両端部は、上記第一のストッパ部材の中心開口部分および上記第二のストッパ部材の中心開口部分のそれぞれの内部に回転可能に配置されている、上記項目のいずれかに記載の回転式空気指向装置。
（項目６Ａ）
上記ノズル部材の内表面に配置された第三のストッパ部材をさらに備える、上記項目のいずれかに記載の回転式空気指向装置。
（項目７Ａ）
上記プロペラ部材の上記中心シリンダの最遠位端は、上記第三のストッパ部材の中心開口部分の内部に配置されている、上記項目のいずれかに記載の回転式空気指向装置。
（項目８Ａ）
上記中心シリンダの上記最遠位端の外周、および上記第三のストッパ部材の上記中心開口部分の内周は、少なくとも１つの平坦部分以外は実質的に円形であり、そして該第三のストッパ部材は、上記プロペラ部材と一緒に回転する、上記項目のいずれかに記載の回転式空気指向装置。
（項目９Ａ）
上記第三のストッパ部材の外周および上記ノズル部材の内周は、少なくとも１つの平坦部分以外は実質的に円形であり、そして該ノズル部材は、該第三のストッパ部材および上記プロペラ部材と一緒に回転する、上記項目のいずれかに記載の回転式空気指向装置。
（項目１０Ａ）
上記プロペラ部材の上記中心シリンダの開口部分を通って延びるシャフトをさらに備え、該シャフトは、上記第一のストッパと、上記第二のストッパと、上記第三のストッパとを、該シャフトの両端の間で該中心シリンダ上に保持する、上記項目のいずれかに記載の回転式空気指向装置。
（項目１１Ａ）
上記第一のストッパと、上記第二のストッパと、上記第三のストッパとは、上記シャフトのヘッドとナットとの間に保持される、上記項目のいずれかに記載の回転式空気指向装置。
（項目１２Ａ）
上記複数の湾曲した翼は、第一の湾曲した翼、第二の湾曲した翼および第三の湾曲した翼を備える、上記項目のいずれかに記載の回転式空気指向装置。
（項目１３Ａ）
上記ノズル開口部は、形状が卵円形であり、上記出口開口部の平坦な周の線上の点から、該出口開口部の中心と該出口開口部の該平坦な周上の反対側の点との間の線上の点まで延びる、最長直径を有する、上記項目のいずれかに記載の回転式空気指向装置。
（項目１４Ａ）
上記プロペラ部材は、上記回転式空気指向装置の外側部分に、少なくともシャフトを介して固定されている、上記項目のいずれかに記載の回転式空気指向装置。
（項目１５Ａ）
回転式空気指向装置を用いてヘアドライヤーの空気を指向する方法であって、該方法は：
管状アダプタ部材の入口開口部において、該ヘアドライヤーからの空気を受容する工程；
該管状アダプタ部材に回転可能に結合されたプロペラ部材を回転させるように該空気を指向する工程であって、該空気は、該管状アダプタ部材の出口開口部を通して、ノズルの入口開口部内へと指向されて、該ノズルを回転させる、工程；および
該空気流を該ノズルの出口開口部に通してさらに指向する工程であって、該ノズルの該出口開口部は該管状アダプタ部材の該出口開口部に対して鋭角で配置されている、工程
を包含する、方法。
（項目１６Ａ）
ヘアドライヤーのバレルのための回転式空気流指向付属品であって、該付属品は：
Ａ）入口開口部および出口開口部を有する管状アダプタであって、該入口開口部は、該ヘアドライヤーの該バレルに取り外し可能に結合されるように適合されている、管状アダプタ；
Ｂ）該管状アダプタに回転可能に結合された回転部材内に配置された１つ以上の翼であって、該回転部材は、少なくともシャフトを介して、該付属品の外側部分に固定されている、１つ以上の翼；
Ｃ）該管状アダプタの該出口開口部に隣接して配置され、該１つ以上の翼と一緒に回転するように適合されたノズルであって、該ノズルは、該管状アダプタの該出口開口部に対して鋭角で配置された開口部を有する、ノズル、
を備え、
Ｄ）該ノズルは、切頭斜円錐形状を有する、
回転式空気流指向付属品。
（項目１７Ａ）
付属品を用いてヘアドライヤーの空気流を指向する方法であって、該方法は：
Ａ）管状アダプタの入口開口部において、該ヘアドライヤーからの空気流を受容する工程；
Ｂ）該管状アダプタに回転可能に結合された回転部材内に配置された１つ以上の翼を回転させるように該空気流を指向する工程であって、該空気流は、該管状アダプタの出口開口部を通して、切頭斜円錐形状を有するノズルの入口開口部内へと指向されて、シャフトの周りで該ノズルを回転させる、工程；および
Ｃ）該空気流を該ノズルの出口開口部に通してさらに指向する工程であって、該ノズルの該出口開口部は形状が卵円形である、工程
を包含する、方法。
（項目１８Ａ）
上記ノズルの上記出口開口部を出る上記空気流は、操作者が上記ヘアドライヤーを乾燥させられるべき毛髪に対して手で操作するときに達成されるパターンに類似した加熱された空気流の動く回転するパターンを有する、上記項目に記載の方法。
（項目１９Ａ）
上記ノズルと１つ以上の翼との構成が、該ノズルおよび／または該１つ以上の翼を１５００ＲＰＭ〜２５００ＲＰＭの速度で回転させることによって、上記出口からの拍動空気流を発生させる、上記項目のいずれかに記載の方法。
（項目１Ｂ）
ヘアドライヤーのバレルのための回転式空気指向装置であって、該装置は：
該ヘアドライヤーの該バレルに取り外し可能に結合されるように適合された管状アダプタ部材；
該管状アダプタ部材に回転可能に結合された管状回転部材であって、該管状回転部材は、周の内表面、入口開口部、出口開口部、および複数の湾曲した翼を備える、管状回転部材；
該管状回転部材の該出口開口部に隣接して配置され、そして該管状回転部材と一緒に回転するように適合されたノズル部材であって、該ノズル部材は、角度付き管状部材を備え、該角度付き管状部材は、該出口開口部に対して鋭角で配置されたノズル開口部を有する、ノズル部材；
を備え；
該複数の湾曲した翼の各々は、該管状回転部材の該入口開口部から該出口開口部まで延びる該周の内表面上の固定縁、および該管状回転部材の中心開口空間を規定する、反対側の自由縁を有し；そして
該複数の湾曲した翼の各々は、互いから間隔を空けており、これによって、複数の湾曲した放射状開口部を、隣接する湾曲した翼間に規定し、そして該複数の湾曲した放射状開口部の各々は、該中心開口空間に隣接することにより、連続的な開口通路を形成する、
回転式空気指向装置。
（項目２Ｂ）
上記管状アダプタ部材の内表面と、上記管状回転部材の外表面とに配置された少なくとも１つのリングベアリングをさらに備える、上記項目に記載の回転式空気指向装置。
（項目３Ｂ）
上記少なくとも１つのリングベアリングは、上記出口開口部に近接する第一のリングベアリング、および上記入口開口部に近接する第二のリングベアリングを備える、上記項目のいずれかに記載の回転式空気指向装置。
（項目４Ｂ）
上記複数の湾曲した翼は、上記管状回転部材と一体的に形成されている、上記項目のいずれかに記載の回転式空気指向装置。
（項目５Ｂ）
上記複数の湾曲した翼は、第一の湾曲した翼、第二の湾曲した翼および第三の湾曲した翼を備える、上記項目のいずれかに記載の回転式空気指向装置。
（項目６Ｂ）
上記複数の湾曲した翼の各々は、上記固定縁と上記自由縁との間に延びる１つ以上の側縁を備える、上記項目のいずれかに記載の回転式空気指向装置。
（項目７Ｂ）
上記複数の湾曲した翼の各々の上記反対側の自由縁は、その対応する固定縁の両端に接触するように湾曲している、上記項目のいずれかに記載の回転式空気指向装置。
（項目８Ｂ）
上記管状回転部材は、該管状回転部材の周の外表面のそれぞれのボールベアリング保持部内に複数のボールベアリングを備える、上記項目のいずれかに記載の回転式空気指向装置。
（項目９Ｂ）
上記複数のボールベアリングは、内側レッジおよび上記管状アダプタ部材の周の内表面において、上記管状回転部材と該管状アダプタ部材との間の接触を提供する、上記項目のいずれかに記載の回転式空気指向装置。
（項目１０Ｂ）
上記管状回転部材の上記入口開口部に隣接して上記管状アダプタ部材内に固定されて配置された空気指向部材をさらに備える、上記項目のいずれかに記載の回転式空気指向装置。
（項目１１Ｂ）
上記空気指向部材は、複数の翼を備え、該複数の翼の各々は、該空気指向部材の中心から該空気指向部材の周まで放射状に延び、そして空気流の方向を変化させるように個々に傾斜している、上記項目のいずれかに記載の回転式空気指向装置。
（項目１２Ｂ）
上記複数の翼は、上記空気指向部材の上記周に対して垂直である対応する面から鋭角に傾斜している、上記項目のいずれかに記載の回転式空気指向装置。
（項目１３Ｂ）
上記ノズル開口部は、形状が卵円形であり、上記出口開口部の平坦な周の線上の点から、該出口開口部の中心と該出口開口部の該平坦な周上の反対側の点との間の線上の点まで延びる、最長直径を有する、上記項目のいずれかに記載の回転式空気指向装置。
（項目１４Ｂ）
上記中心開口空間は、上記回転管状部材が回転しているときに開いたままである、上記項目のいずれかに記載の回転式空気指向装置。
（項目１５Ｂ）
ヘアドライヤーのバレルのための回転式空気流指向付属品であって、該付属品は：
Ａ）入口開口部および出口開口部を有する管状アダプタであって、該入口開口部は、該ヘアドライヤーの該バレルに取り外し可能に結合されるように適合されている、管状アダプタ；
Ｂ）該管状アダプタに回転可能に結合された羽根；
Ｃ）該管状アダプタの該出口開口部に隣接して配置され、該羽根と一緒に回転するように適合されたノズルであって、該ノズルは、該管状アダプタの該出口開口部に対して鋭角で配置された開口部を有する、ノズル、
を備える、回転式空気流指向付属品。
（項目１６Ｂ）
上記羽根は、１つ以上の羽根を備え、該１つ以上の羽根のうちの少なくとも１つは湾曲している、上記項目に記載の付属品。
（項目１７Ｂ）
上記ノズルは、半円錐および／または切頭円錐の形状を有する、上記項目のいずれかに記載の付属品。
（項目１８Ｂ）
上記ノズルは、（ｉ）上記管状アダプタにしっかりと結合されているか、または（ｉｉ）１つのユニタリ構造体として該管状アダプタと一体的に形成されているかのいずれかである、上記項目のいずれかに記載の付属品。
（項目１９Ｂ）
上記管状アダプタは、上記付属品の温度を低下させるように構成されている、上記項目のいずれかに記載の付属品。
（項目２０Ｂ）
上記ノズル開口部は、該ノズル開口部の中心を通る垂線が上記管状アダプタの上記出口開口部の中心を通る垂線と９０度未満の角度を形成するように配置されている、上記項目のいずれかに記載の付属品。
（項目２１Ｂ）
操作者が上記ヘアドライヤーを乾燥させられるべき毛髪に対して手で操作するときに達成されるパターンに類似した加熱された空気流の動く回転するパターンを、上記ノズルが該ノズルの上記出口開口部を通して発生させるように構成されている、上記項目のいずれかに記載の付属品。
（項目２２Ｂ）
上記ノズルは、該ノズルの出口開口部を通して、環形状を有する空気流を発生させるように構成されている、上記項目のいずれかに記載の付属品。
（項目２３Ｂ）
上記羽根は、上記管状アダプタに回転可能に結合された回転部材内に配置されている、上記項目のいずれかに記載の付属品。
（項目２４Ｂ）
上記羽根は、上記管状アダプタ内に一体的に形成されており、そして上記ノズルは、該管状アダプタにしっかりと取り付けられている、上記項目のいずれかに記載の付属品。
（項目２５Ｂ）
上記回転部材は、旋回軸構造体を介して、上記付属品の外側部分に固定されている、上記項目のいずれかに記載の付属品。
（項目２６Ｂ）
付属品を用いてヘアドライヤーの空気流を指向する方法であって、該方法は：
Ａ）管状アダプタの入口開口部において、該ヘアドライヤーからの空気流を受容する工程；
Ｂ）該管状アダプタ内に配置された羽根を回転させるように該空気流を指向する工程であって、該空気流は、該管状アダプタの出口開口部を通して、該出口開口部に隣接して配置されたノズルの入口開口部内へと指向されて、該ノズルを回転させる、工程；
Ｃ）該空気流を該ノズルの出口開口部に通してさらに指向する工程であって、該出口開口部は、該管状アダプタの該出口開口部に対して鋭角で配置されている、工程
を包含する、方法。
（項目２７Ｂ）
上記ノズルの上記出口開口部を出る上記空気流は、操作者が上記ヘアドライヤーを乾燥させられるべき毛髪に対して手で操作するときに達成されるパターンに類似した加熱された空気流の動く回転するパターンを有する、上記項目に記載の方法。
（項目２８Ｂ）
上記ノズルの上記出口開口部を出る上記空気流は、形状が環状である、上記項目のいずれかに記載の方法。
（項目２９Ｂ）
上記管状アダプタを用いて上記付属品の外側部分の温度を低下させる工程をさらに包含する、上記項目のいずれかに記載の方法。
（項目３０Ｂ）
上記ノズルと羽根との構成が、該ノズルおよび／または該羽根を１５００ＲＰＭ〜２５００ＲＰＭの速度で回転させることによって、上記出口からの拍動空気流を引き起こす、上記項目のいずれかに記載の方法。
（項目１Ｃ）
ヘアドライヤーのバレルのための回転式空気指向装置であって、該装置は：
該ヘアドライヤーの該バレルに取り外し可能に結合されるように適合された管状アダプタ部材；
該管状アダプタ部材に回転可能に結合され、そして該管状アダプタ部材内に配置された管状回転部材であって、該管状回転部材は、周の内表面、入口開口部、出口開口部、および複数の湾曲した翼を備える、管状回転部材；
斜円錐形状を有し、そして該管状回転部材と一緒に回転するように適合されたノズル部材であって、該ノズル部材は、角度付き管状部材を備え、該角度付き管状部材は、該管状回転部材の該出口開口部に隣接して配置されたノズル入口開口部、および該管状回転部材の該出口開口部に対して鋭角で配置されたノズル出口開口部を有する、ノズル部材；
を備え；
該複数の湾曲した翼の各々は、該管状回転部材の該入口開口部から該出口開口部まで延びる該周の内表面上の固定縁、および該管状回転部材の中心開口空間を規定する、反対側の自由縁を有し；そして
該複数の湾曲した翼の各々は、互いから間隔を空けており、これによって、複数の湾曲した放射状開口部を、隣接する湾曲した翼間に規定し、そして該複数の湾曲した放射状開口部の各々は、該中心開口空間に隣接することにより、連続的な開口通路を形成する、
回転式空気指向装置。
（項目２Ｃ）
上記管状アダプタ部材の内表面と、上記管状回転部材の外表面とに配置された少なくとも１つのリングベアリングをさらに備える、上記項目に記載の回転式空気指向装置。
（項目３Ｃ）
上記少なくとも１つのリングベアリングは、上記出口開口部に近接する第一のリングベアリング、および上記入口開口部に近接する第二のリングベアリングを備える、上記項目のいずれかに記載の回転式空気指向装置。
（項目４Ｃ）
上記複数の湾曲した翼は、上記管状回転部材と一体的に形成されている、上記項目のいずれかに記載の回転式空気指向装置。
（項目５Ｃ）
上記複数の湾曲した翼は、第一の湾曲した翼、第二の湾曲した翼および第三の湾曲した翼を備える、上記項目のいずれかに記載の回転式空気指向装置。
（項目６Ｃ）
上記複数の湾曲した翼の各々は、上記固定縁と上記自由縁との間に延びる１つ以上の側縁を備える、上記項目のいずれかに記載の回転式空気指向装置。
（項目７Ｃ）
上記複数の湾曲した翼の各々の上記反対側の自由縁は、その対応する固定縁の両端に接触するように湾曲している、上記項目のいずれかに記載の回転式空気指向装置。
（項目８Ｃ）
上記管状回転部材は、該管状回転部材の周の外表面のそれぞれのボールベアリング保持部内に複数のボールベアリングを備える、上記項目のいずれかに記載の回転式空気指向装置。
（項目９Ｃ）
上記複数のボールベアリングは、内側レッジおよび上記管状アダプタ部材の周の内表面において、上記管状回転部材と該管状アダプタ部材との間の接触を提供する、上記項目のいずれかに記載の回転式空気指向装置。
（項目１０Ｃ）
上記管状回転部材の上記入口開口部に隣接して上記管状アダプタ部材内に固定されて配置された空気指向部材をさらに備える、上記項目のいずれかに記載の回転式空気指向装置。
（項目１１Ｃ）
上記空気指向部材は、複数の翼を備え、該複数の翼の各々は、該空気指向部材の中心から該空気指向部材の周まで放射状に延び、そして空気流の方向を変化させるように個々に傾斜している、上記項目のいずれかに記載の回転式空気指向装置。
（項目１２Ｃ）
上記複数の翼は、上記空気指向部材の上記周に対して垂直である対応する面から鋭角に傾斜している、上記項目のいずれかに記載の回転式空気指向装置。
（項目１３Ｃ）
上記中心開口空間は、上記回転管状部材が回転しているときに開いたままである、上記項目のいずれかに記載の回転式空気指向装置。
（項目１４Ｃ）
ヘアドライヤーのバレルのための回転式空気流指向付属品であって、該付属品は：
Ａ）入口開口部および出口開口部を有する管状アダプタであって、該入口開口部は、該ヘアドライヤーの該バレルに取り外し可能に結合されるように適合されている、管状アダプタ；
Ｂ）該管状アダプタに回転可能に結合された１つ以上の翼；
Ｃ）該管状アダプタの該出口開口部に隣接して配置され、該１つ以上の翼と一緒に回転するように適合されたノズルであって、該ノズルは、該管状アダプタの該出口開口部に対して鋭角で配置された開口部を有する、ノズル、
を備え、
Ｄ）該ノズルは、切頭斜円錐形状を有する、
回転式空気流指向付属品。
（項目１５Ｃ）
上記１つ以上の翼のうちの少なくとも１つは湾曲している、上記項目のいずれかに記載の付属品。
（項目１６Ｃ）
上記ノズルの開口部は卵円形である、上記項目のいずれかに記載の付属品。
（項目１７Ｃ）
上記ノズルは、（ｉ）上記管状アダプタにしっかりと結合されているか、または（ｉｉ）１つのユニタリ構造体として該管状アダプタと一体的に形成されているかのいずれかである、上記項目のいずれかに記載の付属品。
（項目１８Ｃ）
上記管状アダプタは、上記付属品の温度を低下させるように構成されている、上記項目のいずれかに記載の付属品。
（項目１９Ｃ）
上記ノズル開口部は、該ノズル開口部の中心を通る垂線が上記管状アダプタの上記出口開口部の中心を通る垂線と９０度未満の角度を形成するように配置されている、上記項目のいずれかに記載の付属品。
（項目２０Ｃ）
操作者が上記ヘアドライヤーを乾燥させられるべき毛髪に対して手で操作するときに達成されるパターンに類似した加熱された空気流の動く回転するパターンを、上記ノズルが該ノズルの上記出口開口部を通して発生させるように構成されている、上記項目のいずれかに記載の付属品。
（項目２１Ｃ）
上記ノズルは、該ノズルの出口開口部を通して、環形状を有する空気流を発生させるように構成されている、上記項目のいずれかに記載の付属品。
（項目２２Ｃ）
上記１つ以上の翼は、上記管状アダプタに回転可能に結合された回転部材内に配置されている、上記項目のいずれかに記載の付属品。
（項目２３Ｃ）
上記１つ以上の翼は、上記管状アダプタ内に一体的に形成されており、そして上記ノズルは、該管状アダプタにしっかりと取り付けられている、上記項目のいずれかに記載の付属品。
（項目２４Ｃ）
上記回転部材は、少なくともシャフトを介して、上記付属品の外側部分に固定されている、上記項目のいずれかに記載の付属品。
（項目２５Ｃ）
付属品を用いてヘアドライヤーの空気流を指向する方法であって、該方法は：
Ａ）管状アダプタの入口開口部において、該ヘアドライヤーからの空気流を受容する工程；
Ｂ）該管状アダプタ内に配置された１つ以上の翼を回転させるように該空気流を指向する工程であって、該空気流は、該管状アダプタの出口開口部を通して、切頭斜円錐形状を有するノズルの入口開口部内へと指向されて、該ノズルを回転させる、工程；
Ｃ）該空気流を該ノズルの出口開口部に通してさらに指向する工程であって、該ノズルの該出口開口部は形状が卵円形である、工程
を包含する、方法。
（項目２６Ｃ）
上記ノズルの上記出口開口部を出る上記空気流は、操作者が上記ヘアドライヤーを乾燥させられるべき毛髪に対して手で操作するときに達成されるパターンに類似した加熱された空気流の動く回転するパターンを有する、上記項目のいずれかに記載の方法。
（項目２７Ｃ）
上記管状アダプタを用いて上記付属品の外側部分の温度を低下させる工程をさらに包含する、上記項目のいずれかに記載の方法。
（項目２８Ｃ）
上記ノズルと１つ以上の翼との構成が、該ノズルおよび／または該１つ以上の翼を１５００ＲＰＭ〜２５００ＲＰＭの速度で回転させることによって、上記出口からの拍動空気流を引き起こす、上記項目のいずれかに記載の方法。
（項目２９Ｃ）
ヘアドライヤーのバレルと一体である回転式空気流指向装置であって、該装置は：
Ａ）該ヘアドライヤーの該バレルに回転可能に結合され、そして該バレルの内側に配置された管状回転部材であって、該管状回転部材は、入口開口部、出口開口部、および複数の湾曲した翼を備える、管状回転部材；ならびに
Ｂ）該管状回転部材の該出口開口部に結合されているか、または該出口開口部と一体的に形成されているノズル
を備える、回転式空気流指向装置。
（項目３０Ｃ）
上記ノズルは、卵円形状を有する出口開口部を備える、上記項目のいずれかに記載の装置。
【０００５】
（摘要）
ヘアドライヤーのバレルのための回転式空気指向装置が提供される。この装置は、入口開口部および出口開口部を有する管状アダプタ部材を備える。この入口開口部は、このヘアドライヤーのバレルに取り外し可能に結合されるように結合される。この装置はまた、この管状アダプタ部材に回転可能に結合されたプロペラ部材を備える。このプロペラ部材は、中心シリンダから延びる複数の湾曲した翼を備える。この装置はさらに、この管状アダプタ部材の出口開口部に隣接して配置され、そしてこのプロペラ部材と一緒に回転するように適合されたノズル部材を備える。このノズル部材は、角度付き管状部材を備え、この角度付き管状部材は、この管状アダプタ部材の出口開口部に対して鋭角で配置されたノズル開口部を有する。
【０００６】
（発明の要旨）
本発明は、少なくとも上記問題および／または欠点に取り組み、そして少なくとも以下に記載される利点を提供するために、なされた。従って、本発明の１つの局面は、可搬型の手で持つヘアドライヤーからの空気の円形の流れを方向付けるための回転部材に関する。
【０００７】
本発明の１つの局面によれば、ヘアドライヤーのバレルのための回転式空気指向装置が提供される。この装置は、入口開口部および出口開口部を有する管状アダプタ部材を備え得る。この入口開口部は、このヘアドライヤーのバレルに取り外し可能に結合されるように適合され得る。この装置はまた、この管状アダプタ部材に回転可能に結合されたプロペラ部材を備え得る。このプロペラ部材は、中心シリンダから延びる複数の湾曲した翼を備え得る。この装置は、ノズル部材をさらに備え得、このノズル部材は、この管状アダプタ部材の出口開口部に隣接して配置され、そしてこのプロペラ部材と一緒に回転するように適合される。このノズル部材は、この管状アダプタ部材の出口開口部に対して鋭角で配置されたノズル開口部を有する、角度付き管状部材を備え得る。
【０００８】
別の局面において、回転式空気指向装置を用いてヘアドライヤーの空気を指向する方法が存在する。この方法は、管状アダプタ部材の入口開口部において、このヘアドライヤーからの空気を受容する工程を包含する。この方法はまた、この管状アダプタ部材内に回転可能に結合されたプロペラ部材を回転させるようにこの空気を指向する工程であって、この空気は、この管状アダプタ部材の出口開口部を通して、ノズルの入口開口部内へと指向され、このノズルを回転させる、工程をさらに包含し得る。この方法は、この空気流をこのノズルの出口開口部に通してさらに指向する工程であって、このノズルの出口開口部は、この管状アダプタ部材の出口開口部に対して鋭角で配置されている、工程をさらに包含し得る。
【０００９】
なお別の局面において、ヘアドライヤーのバレルのための回転式空気流指向付属品が提供される。この付属品は、入口開口部および出口開口部を有する管状アダプタを備え、この入口開口部は、このヘアドライヤーのバレルに取り外し可能に結合されるように適合される。この付属品はまた、回転部材内に配置された１つ以上の翼を備え得、この回転部材は、この管状アダプタに回転可能に結合され、この回転部材は、少なくともシャフトを介して、この付属品の外側部分に固定される。ノズルが、この管状アダプタの出口開口部に隣接して配置され得、そして１つ以上の翼と一緒に回転するように適合され得る。このノズルは、この管状アダプタの出口開口部に対して鋭角に配置された開口部を有する。このノズルはまた、切頭斜円錐の形状を有し得る。
【００１０】
別の局面において、付属品を用いてヘアドライヤーの空気流を指向する方法が存在する。この方法は、管状アダプタの入口開口部において、このヘアドライヤーからの空気流を受容する工程を包含する。この空気流は、この管状アダプタに回転可能に結合された回転部材内に配置された１つ以上の翼を回転させるように指向する工程であって、この空気流は、この管状アダプタの出口開口部を通して、切頭斜円錐形状を有するノズルの入口開口部内へと指向され、シャフトの周りでこのノズルを回転させる、工程をさらに包含する。この空気流は、このノズルの出口開口部に通してさらに指向され得、このノズルの出口開口部は、形状が卵円形である。
【００１１】
いくつかの実施形態において、この回転式空気指向装置はまた、この管状アダプタ部材の内表面に配置された少なくとも１つのストッパ部材を備え得、この内表面は、プロペラ部材を回転可能に係合する。この少なくとも１つのストッパ部材は、入口開口部に近接する第一のストッパ部材、および出口開口部に近接する第二のストッパ部材を備え得る。第一のストッパの外周および第二のストッパの外周、ならびに管状アダプタ部材の内周は、少なくとも１つの平坦部分以外は実質的に円形であり得、そしてプロペラ部材が回転する間、第一のストッパおよび第二のストッパは、管状アダプタ部材と一緒に静止したままであり得る。プロペラ部材の中心シリンダの両端部は、第一のストッパの中心開口部分および第二のストッパ部材の中心開口部分のそれぞれの内部に回転可能に配置され得る。種々の実施形態において、第三のストッパ部材が、ノズル部材の内表面に配置され得る。
【００１２】
いくつかの実施形態において、プロペラ部材の中心シリンダの最遠位端は、第三のストッパ部材の中心開口部分の内部に配置される。中心シリンダの最遠位端の外周、および第三のストッパ部材の中心開口部分の内周は、少なくとも１つの平坦部分以外は実質的に円形であり得る。種々の実施形態において、第三のストッパ部材は、プロペラ部材と一緒に回転し得る。第三のストッパ部材の外周およびノズル部材の内周は、少なくとも１つの平坦部分以外は実質的に円形であり得る。ノズル部材もまた、第三のストッパ部材およびプロペラ部材と一緒に回転し得る。シャフトが、プロペラ部材の中心シリンダの開口部分を通って延び得、そして第一のストッパと、第二のストッパと、第三のストッパとを、このシャフトの両端の間で、中心シリンダ上に保持し得る。第一のストッパと、第二のストッパと、第三のストッパとは、このシャフトのヘッドとナットとの間に保持され得る。
【００１３】
いくつかの実施形態において、複数の湾曲した翼は、第一の湾曲した翼、第二の湾曲した翼、および第三の湾曲した翼を備える。ノズル開口部は、形状が卵円形であり得、出口開口部の平坦な周の線上の点から、出口開口部の中心と出口開口部の平坦な周上の反対側の点との間の線上の点まで延びる、最長直径を有し得る。
【００１４】
種々の実施形態において、プロペラ部材は、回転式空気指向装置の外側部分に、少なくともシャフトを介して固定され得る。
【００１５】
いくつかの実施形態において、ノズルの出口開口部を出る空気流は、操作者がヘアドライヤーを乾燥させられるべき毛髪に対して手で操作するときに達成されるパターンに類似した加熱された空気流の動く回転するパターンを有する。ノズルと１つ以上の翼との構成は、ノズルおよび／または１つ以上の翼を１５００ＲＰＭ〜２５００ＲＰＭの速度で回転させることによって、出口からの拍動空気流を発生させ得る。
【００１６】
本発明の上記および他の局面、特徴および利点は、添付の図面と合わせて読まれる場合に、以下の詳細な説明か明らかになる。
【図面の簡単な説明】
【００１７】
【図１】図１は、本発明の１つの実施形態による回転式空気指向装置の分解斜視図を図示する図である。
【図２】図２は、本発明の１つの実施形態による回転式空気指向装置の第一の部分の斜視図を図示する図である。
【図３】図３は、本発明の１つの実施形態による回転式空気指向装置の第二の部分の斜視図を図示する図である。
【図４】図４は、本発明の１つの実施形態によるヘアドライヤー付属品の分解斜視図を図示する。
【図５】図５は、本発明の１つの実施形態によるヘアドライヤー付属品の分解斜視図を図示する。
【図６】図６は、本発明の１つの実施形態によるヘアドライヤー付属品の分解斜視図を図示する。
【図７】図７は、本発明の１つの実施形態によるヘアドライヤー付属品の分解斜視図を図示する。
【発明を実施するための形態】
【００１８】
（詳細な説明）
本発明の実施形態が、添付の図面を参照しながら詳細に説明される。同じかまたは類似の構成要素は、異なる図に図示される場合であっても、同じかまたは類似の参照番号によって表され得る。当該分野において公知である構成またはプロセスの詳細な説明は、本発明の主題が曖昧になることを避けるために、省略され得る。
【００１９】
図１〜図３は、本発明の実施形態による、ヘアドライヤーのバレルのための回転式空気指向装置を示す。この空気指向装置は、ヘアドライヤーのバレルに取り外し可能に固定されるように適合された付属品であり得るか、またはヘアドライヤーバレル自体と一体的であり得る。いくつかの実施形態において、ヘアドライヤーは、家庭または店において代表的に使用され得る、手で持つ可搬型のヘアドライヤーであり得る。
【００２０】
この回転式空気指向装置は、このヘアドライヤーから流れる空気の力によって、動力を与えられ得る。この装置は、乾燥させられるべき毛髪に対して操作者がヘアドライヤーを手で操作するときに達成されるパターンに類似した加熱された空気流の動く回転するパターンを発生させるような設計および構成にされ得る。本発明の１つの実施形態による回転式空気指向装置、すなわちヘアドライヤーアセンブリは、操作者がこのヘアドライヤーを連続的に操作する必要性を排除し得、これによって、操作者の疲労を軽減し得る。
【００２１】
最初に図１を参照すると、図は、本発明の１つの実施形態による回転式空気指向装置の分解斜視図を図示する。この回転式空気指向装置は、シャフト１０４を支持する第一のストッパ１０２を備える。第一のストッパは、２つ以上の支持部材１０６を備え、これらの支持部材は、中心開口部分１０８を第一のストッパ１０２の中心領域に保持する。シャフト１０４は、第一のストッパ１０２の中心開口部分１０８から延びる。種々の実施形態において、シャフト１０４のヘッド１１０は、中心開口部分１０８より広く、そして中心開口部分１０８の片側に配置される。一方で、シャフト１０４の主本体は、中心開口部分１０８の反対側の面から垂直に離れる方向に延びる。シャフト１０４のヘッド１１０は、このヘッドがねじ回しによって係合されて回転させられ得るように構成され得る。
【００２２】
いくつかの実施形態において、シャフト１０４は、プロペラ部材１１２内で、プロペラ部材１１２の近位端１１４から遠位端１１６を越えて延びるように構成される。種々の実施形態において、シャフト１０４は、プロペラ部材１１２の中心シリンダ１２０を通って延びる開口部分１１８を通って延びる。プロペラ部材１１２は、複数の湾曲した翼１２２、１２４および１２６を備え得る。
【００２３】
この回転式空気指向装置は、２つ、３つ、またはより多くの翼を備え得る。例えば、図１に示されるように、第一の湾曲した翼１２２、第二の湾曲した翼１２４および第三の湾曲した翼１２６が、プロペラ部材１１２の中心シリンダ１２０に配置されて、この中心シリンダ１２０から延びる。湾曲した翼１２２〜１２６は、ヘアドライヤーからの空気の流れが湾曲した翼１２２〜１２６を通って流れるときに、プロペラ部材１１２を回転させるように構成され得る。湾曲した翼１２２〜１２６の形状および配置は、空気の渦巻塊または回転塊を発生させ得る。具体的には、複数の湾曲した翼１２２〜１２６は、対応する複数の固定縁を中心シリンダ１２０において備える。各固定縁は、湾曲した翼１２２〜１２６の１つずつに関連し得る。
【００２４】
複数の湾曲した翼１２２〜１２６はまた、複数の自由縁を備え得る。各自由縁は、湾曲した翼１２２〜１２６の１つずつに関連し得る。いくつかの実施形態において、これらの自由縁は、プロペラ部材１１２の中心シリンダ１２０から間隔を空けている。
【００２５】
複数の湾曲した翼１２２〜１２６はまた、固定縁のそれぞれ１つと、自由縁のそれぞれ１つとの間に延びる、複数の側縁を備え得る。
【００２６】
種々の実施形態において、湾曲した翼１２２〜１２６は、等しく間隔を空けており、そして隣接する湾曲した翼間に、複数の弯曲した放射状開口部を規定する。
【００２７】
ワッシャ１２８と、第二のストッパ１３０と、第三のストッパ１３２とは、プロペラ部材１１２の中心シリンダ１２０上に配置され得る。第二のストッパ１３０は、第一のストッパ１０２と実質的に同じであり得る。いくつかの実施形態において、中心シリンダ１２０は、ワッシャ１２８および第二のストッパ１３０を通過し得、その結果、中心シリンダ１２０の実質的に円形の外周は、ワッシャ１２８の実質的に円形の内周内および第二のストッパ１３０の中心開口部分１３４内で、自由に回転する。
【００２８】
中心シリンダ１２０の遠位端１１６は、その頂部および底部に、平坦な部分を有し得る。これらの平坦な部分は、第三のストッパ１３２の中心開口部分１３６の内周の平坦な部分と一致し得る。第三のストッパ１３２は、これらの平坦な部分以外は、第一のストッパ１０２および第二のストッパ１３０と実質的に同じであり得る。従って、中心シリンダ１２０の遠位端１１６は、第三のストッパ１３２の中心開口部分１３６内で、これらの平坦な部分が許容する距離だけ延び得る。さらに、遠位端１１６と中心開口部分１３６との両方の平坦な部分が、第三のストッパ１３２がプロペラ部材１１２と一緒に回転することを可能にし得る。
【００２９】
いくつかの実施形態において、ナット１３８が、中心シリンダ１２０および第三のストッパ１３２を越えて延びるシャフト１０４の遠位端を係合し得る。シャフト１０４の遠位端は、このナットとの係合のために溝を付けられ得、そしてシャフト１０４のヘッド１１０は、組み立てのために、例えばねじ回しによって回され得る。従って、ナット１３８は、シャフト１０４が、第一のストッパ１０２、プロペラ部材１１２、ワッシャ１２８、第二のストッパ１３０、および第三のストッパ１３２を通って延びることを可能にし得る。種々の実施形態において、ナット１３８は、プロペラ部材１１２、ワッシャ１２８、および第二のストッパ１３０を、第一のストッパ１０２と第三のストッパ１３２との間に固定し得る。
【００３０】
第一のストッパ１０２と第二のストッパ１３０との間に配置された回転式空気指向装置の要素は、第一のストッパ１０２および第二のストッパ１３０を含めて、管状アダプタ部材１４０内に配置され得る。管状アダプタ部材１４０は、近位入口端１４２および遠位出口端１４４を備え得る。第三のストッパ１３２は、ノズル部材１４６内に配置され得る。ノズル部材１４６は、入口端１４８および出口端１５０を有し得る。
【００３１】
管状アダプタ部材１４０は、ヘアドライヤーのバレルに取り外し可能に結合されるように適合され得る。例えば、管状アダプタ部材１４０の内径は、ヘアドライヤーバレルの外径の外側に嵌って、プレスばめ（ｐｒｅｓｓ−ｏｎ  ｆｉｔ）または摩擦ばめを提供するような寸法にされ得る。あるいは、管状アダプタ部材１４０の外径は、ヘアドライヤーバレルの内径の内側に嵌って、プレスばめまたは摩擦ばめを提供するような寸法を有し得る。管状アダプタ部材１４０とヘアドライヤーのバレルとの間に取り外し可能な結合を提供するための他の可能な機構としては、管状アダプタ部材１４０およびヘアドライヤーのバレルのうちの一方または両方への係合溝、螺合ばめ、ならびにクランプ止め要素が挙げられ得る。
【００３２】
いくつかの実施形態において、管状アダプタ部材１４０は、硬い軽量のプラスチック材料、または他の適切な材料（単数もしくは複数）から形成される。管状アダプタ部材１４０は、約３０ｍｍ〜７０ｍｍの範囲、例えば約５３ｍｍの外径、および約４０ｍｍ〜８０ｍｍの範囲、例えば約６１ｍｍの長さを有し得る。しかし、管状アダプタ部材１４０は、ヘアドライヤーに結合するための任意の適切なサイズであり得る。管状アダプタ部材１４０の長さは、約６０ｍｍ〜１００ｍｍの範囲、例えば８２ｍｍであり得る。しかし、このアセンブリは、その意図される目的を達成するための、任意の適切な長さであり得る。
【００３３】
ノズル部材１４６の入口端１４８は、管状アダプタ部材１４０の遠位出口開口部１４４に隣接して配置され得、そして管状アダプタ部材１４０とは無関係に回転するように適合される。ノズル部材１４６は、プロペラ部材１１２にしっかりと固定され得るか、またはプロペラ部材１１２と一体的に形成されて１つのユニタリ構造体を提供し得る。ノズル部材１４６は、角度付き管状部材を備え得、この角度付き管状部材は、例えば、半円錐または切頭円錐の形状を有し得る。種々の実施形態において、このノズルは、切頭斜円錐の形状を有する。いくつかの実施形態において、この角度付き管状部材は、卵円形の開口部を有し得る。
【００３４】
ノズル部材１４６の出口端１５０は、管状アダプタ部材１４０の遠位出口開口部１４４に対して鋭角に配置され得る。いくつかの実施形態において、仮想垂線が、ノズル部材１４６の出口端１５０の中心を通り得、この仮想垂線は、遠位出口開口部１４４の中心を通る仮想垂線と９０度未満の角度を形成する。この角度の付いたノズル開口部の構成に起因して、ノズル部材１４６が回転する場合、加熱された空気流の動く回転するパターンが発生し得、これは、乾燥させられるべき毛髪に対して操作者がヘアドライヤーを手で操作するときに達成されるパターンと類似である。ノズル部材１４６は、硬い軽量のプラスチック材料、または他の適切な材料（単数もしくは複数）から形成され得る。
【００３５】
ここで図２を参照すると、図は、本発明の１つの実施形態による回転式空気指向装置の第一の部分の斜視図を図示する。この回転式空気指向装置の第一の部分は、プロペラ部材１１２、第三のストッパ１３２、およびノズル部材１４６を備える。空気がプロペラ部材１１２の方に向けられるとき、プロペラ部材１１２、第三のストッパ１３２、およびノズル部材１４６は、全て一緒に回転する。
【００３６】
いくつかの実施形態において、第三のストッパ１３２およびナット１３８は、ノズル部材１４６内に配置される。第三のストッパ部材１３２は、周の頂部および底部の平坦な領域を除いて、実質的に円形の周を有し得る。第三のストッパ部材１３２の周は、ノズル部材１４６の同様の形状の内周内に嵌り得る。第三のストッパ部材１３２の周と、ノズル部材１４６の内周との両方の平坦な部分は、第三のストッパ部材１３２がノズル部材１４６の内部で回転することを妨げ得、そして第三のストッパ部材１３２とノズル部材１４６とが一緒に回転することを可能にし得る。
【００３７】
図１に関して上に記載されたように、プロペラ部材１１２の中心シリンダ１２０の遠位端１１６は、第三のストッパ１３２の中心開口部分１３６を係合する。遠位端１１６の周と第三のストッパ１３２の中心開口部分１３６の内周との、平坦な領域に起因して、中心シリンダ１２０は、第三のストッパ１３２の中心開口部分１３６の内部で回転することを妨げられ得、そして第三のストッパ１３２は、プロペラ部材１１２と一緒に回転することを可能にされ得る。ナット１３８は、シャフト１０４のねじ切りされた端部を係合し得、その結果、プロペラ部材１１２と第三のストッパ１３２ともまた、係合されたままになり得る。上記のように、シャフト１０４のねじ切りされ端部は、シャフト１０４のヘッド１１０をねじ回しと係合させることによって、ナット１３８内に締め付けられ得る。
【００３８】
図３は、本発明の１つの実施形態による回転式空気指向装置の第二の部分の斜視図を図示する図である。回転式空気指向装置の第二の部分は、第一のストッパ１０２、第二のストッパ１３０および管状アダプタ部材１４０を備え得る。第一のストッパ１０２と第二のストッパ１３０との両方は、周の頂部および底部の平坦な領域を除いて、実質的に円形の周を有し得る。第一のストッパ１０２および第二のストッパ１３０は、管状アダプタ部材１４０の内部の規定された領域に配置され得、この規定された領域において、管状アダプタ部材の内周は、対応する平坦な部分を有し得る。従って、第一のストッパ１０２の周および第二のストッパ１３０の周は、管状アダプタ部材１４０の同様の形状の内周内に嵌り得る。第一のストッパ１０２および第二のストッパ１３０の周の平坦な部分、ならびに管状アダプタ１４０の内側部分は、第一のストッパ１０２および第二のストッパ１３０が管状アダプタ１４０の内部で回転することを防止し得る。
【００３９】
第一のストッパ１０２および第二のストッパ１３０の中心開口部分の内周の円形の形状、ならびにプロペラ部材１１２の中心シリンダ１２０の円形の外周に起因して、中心シリンダは、第一のストッパ１０２および第二のストッパ１３０の中心開口部分の内部で回転し得る。従って、回転式空気指向装置の第一の部分と第二の部分とが組み立てられると、プロペラ部材１１２は、第一のストッパ１０２と第二のストッパ１３０との間に保持され得、そしてプロペラ部材１１２は、第一のストッパ１０２および第二のストッパ１３０とは無関係に回転し得る。
【００４０】
ここで図４を参照すると、この図は、本発明の１つの実施形態による、ヘアドライヤー付属品４００の分解図を図示する。図示される実施形態において、付属品４００は、管状アダプタ（すなわち「付属品本体」）４１０、ノズル４２０、管状回転部材４３０（すなわち「ファン」）、シャフト４４０、および空気指向部材４５０を備える。
【００４１】
図示される実施形態において、管状アダプタ部材４１０は、付属品本体４１０の外側部分４１３の温度を低下させるように構成される。図示される管状アダプタ４１０は、入口開口部４１１、出口開口部４１２、および外側部分４１４を備える。アダプタ部材４１０の入口開口部４１１は、ヘアドライヤーのバレルに取り外し可能に結合されるように適合され得る。管状アダプタ部材４１０は、取り付けられたヘアドライヤーによって発生させられた空気流を集中させるように、さらに構成され得る。
【００４２】
いくつかの実施形態において、ノズル４２０は、空気流の方向および速度を制御し得る。例えば、ノズル４２０は、約１５００ＲＰＭ〜２５００ＲＰＭで回転することによって、拍動空気流を発生させ得る。図示される実施形態において、ノズル４２０は、環形状の空気流を出口開口部４２１から発生させるように構成され得る。ノズル４２０の入口端４２２は、管状アダプタ部材４１０の出口開口部４１２に隣接して配置され得、そして管状アダプタ部材４１０とは無関係に回転するように適合され得るが、種々の実施形態において、これらは一緒に回転し得る。ノズル４２０は、管状回転部材４３０にしっかりと結合され得るか、または管状回転部材４３０と一体的に形成されて１つのユニタリ構造体を提供し得る。ノズル４２０は、角度付き管状部材を備え得、この角度付き管状部材は、例えば、半円錐または切頭円錐の形状を有し得る。種々の実施形態において、このノズルは、切頭斜円錐の形状を有する。いくつかの実施形態において、この角度付き管状部材は、卵円形の開口部を有し得る。
【００４３】
ノズル４２０の出口端４２１は、管状アダプタ部材４１０の遠位出口開口部４１２に対して鋭角で配置され得る。種々の実施形態において、仮想垂線がノズル４２０の出口端４２１の中心を通り得、この仮想垂線は、遠位出口開口部４１２の中心を通る仮想垂線４０１と９０度未満の角度を形成する。この角度の付いたノズル開口部の構成に起因して、ノズル部材４２０が回転するとき、加熱された空気流の動く回転するパターンが発生し得、これは、乾燥させられるべき毛髪に対して操作者がヘアドライヤーを手で操作することにより達成されるものに類似である。ノズル４２０は、硬い軽量のプラスチック材料、または他の適切な材料（単数もしくは複数）から形成され得る。
【００４４】
管状回転部材４３０および空気指向部材４５０はそれぞれ、管状アダプタ部材４１０内に配置され得る。空気指向部材４５０は、アダプタ部材４１０内で固定された位置に配置され得、そしてこのヘアドライヤーから受容された空気を方向付ける１つ以上の翼４５１を有し得る。空気指向部材４５０は、アダプタ部材４１０の入口開口部４１１に隣接して配置され得、そしてねじ４７０、４７１を用いて、管状アダプタ部材４１０に取り付けられ得る。
【００４５】
いくつかの実施形態において、各々の翼４５１の縁は、空気指向部材４５０の中心から空気指向部材４５０の周まで、半径方向外向きに延びる。各翼は、空気指向部材４５０の周に対して垂直な対応する面から特定の鋭角で傾き得／傾斜し得る。
【００４６】
種々の実施形態において、空気指向部材４５０の翼４５１から方向付けられた空気が管状回転部材４３０の内部の湾曲した翼４３１に衝突するとき、管状回転部材４３０は、アダプタ部材４１０内で自由に回転する。図示される実施形態において、部材４３０は、１つ、２つ、３つ、またはより多くの翼４３１を有し、これらの翼は、湾曲しているなどである。いくつかの実施形態において、管状回転部材４３０の翼４３１は、規定された自由縁および側縁を有し得る。翼４３１の自由縁はまた、自由縁と側縁との間に明確な転換を伴わずに、管状回転部材４３０の内周の固定縁まで湾曲した様式で延び得る。
【００４７】
この図示される実施形態において、管状回転部材４３０は、ノズル４２０にスナップばめされ、そしてノズル４２０を制御されたＲＰＭ数（例えば、１５００ＲＰＭ〜２５００ＲＰＭ）で回転させるが、種々の実施形態において、他の方法で構成され得る。さらに、管状回転部材４３０の外側部分は、空気流から付属品４００の他の構成要素への熱移動を防止し得るか、または低減させ得る。
【００４８】
図示されるシャフト４４０は、管状回転部材４３０内に延びるように構成され得、そしてナット４６０、４６１を用いて空気指向部材４５０に取り付けられ得るが、種々の実施形態において、他の方法で構成され得る。図示される実施形態において、より具体的には、ナット４６０、４６１は、オイルレスブシングを備え得るが、種々の実施形態において、これらは、ワッシャまたは他の型のナットであり得る。
【００４９】
ここで図５を参照すると、図は、本発明の１つの実施形態による、ヘアドライヤー付属品５００の分解図を図示する。図示される実施形態において、付属品５００は、管状アダプタ（すなわち「付属品本体」）５１０、ノズル５２０、管状回転部材５３０（すなわち「ファン」）、シャフト５４０、および軸ホルダ５５０を備える。
【００５０】
図示される実施形態において、管状アダプタ部材５１０は、付属品本体５１０の外側部分５１３の温度を低下させるように構成される。図示される管状アダプタ５１０は、入口開口部５１１、出口開口部５１２、および外側部分５１４を備え得る。アダプタ部材５１０の入口開口部５１１は、ヘアドライヤーのバレルに取り外し可能に結合されるように適合され得る。管状アダプタ部材５１０は、取り付けられたヘアドライヤーによって発生させられた空気流を集中させるように、さらに構成され得る。
【００５１】
図示されるノズル５２０は、空気流の方向および速度を制御する。例えば、ノズル５２０は、約１５００ＲＰＭ〜２５００ＲＰＭで回転することによって、拍動空気流を発生させ得る。図示される実施形態において、ノズル５２０は、出口開口部５２１から環形状の空気流を発生させるように構成され得る。ノズル５２０の入口端５２２は、管状アダプタ部材５１０の出口開口部５１２に隣接して配置され得、そして管状アダプタ部材５１０とは無関係に回転するように適合され得る。ノズル５２０は、管状回転部材５３０にしっかりと結合され得るか、または管状回転部材５３０と一体的に形成されて１つのユニタリ構造体を提供し得る。ノズル５２０は、角度付き管状部材を備え得、この角度付き管状部材は、例えば、半円錐または切頭円錐の形状を有し得る。種々の実施形態において、このノズルは、切頭斜円錐の形状を有する。いくつかの実施形態において、この角度付き管状部材は、卵円形の開口部を有し得る。
【００５２】
いくつかの実施形態において、ノズル５２０の出口端５２１は、管状アダプタ部材５１０の遠位出口開口部５１２に対して鋭角で配置される。他の実施形態において、仮想垂線が、ノズル５２０の出口端５２１の中心を通り得、この仮想垂線は、遠位出口開口部５２１の中心を通る仮想垂線５０１と９０度未満の角度を形成する。この角度の付いたノズル開口部の構成に起因して、ノズル部材５２０が回転するとき、加熱された空気流の動く回転するパターンが発生し得、これは、乾燥させられるべき毛髪に対して操作者がヘアドライヤーを手で操作することにより達成されるものと類似である。ノズル５２０は、硬い軽量のプラスチック材料、または他の適切な材料（単数もしくは複数）から形成され得る。
【００５３】
管状回転部材５３０および軸ホルダ５５０はそれぞれ、管状アダプタ部材５１０内に配置され得る。軸ホルダ５５０は、回転軸を備え得、この回転軸は、付属品５００の回転する構成要素と回転しない構成要素とを接続する。
【００５４】
種々の実施形態において、空気流が管状回転部材５３０の内部の湾曲した翼５３１に衝突するとき、管状回転部材５３０は、アダプタ部材５１０内で自由に回転する。図示される実施形態において、部材５３０は、１つ、２つ、３つ、またはより多くの翼５３１を有し得、これらの翼は、湾曲しているなどである。管状回転部材５３０の翼５３１は、規定された自由縁および側縁を有し得る。翼５３１の自由縁はまた、自由縁と側縁との間に明確な転換を伴わずに、管状回転部材５３０の内周の固定縁まで湾曲した様式で延び得る。
【００５５】
この図示される実施形態において、管状回転部材５３０は、ノズル５２０にスナップばめされ得、そしてノズル５２０を制御されたＲＰＭ数（例えば、１５００ＲＰＭ〜２５００ＲＰＭ）で回転させ得るが、種々の実施形態において、他の方法で構成され得る。さらに、管状回転部材５３０の外側部分は、空気流から付属品５００の他の構成要素への熱移動を防止し得るか、または低減させ得る。
【００５６】
図示されるシャフト５４０は、管状回転部材５３０内に延びるように構成され、そしてナット５６０、５６１、５６２、５６３を用いて軸ホルダ５５０に取り付けられるが、種々の実施形態において、他の方法で構成され得る。種々の実施形態において、ナット５５１は、軸ホルダ５５０の構成要素である。他の実施形態において、ナット５５１は、物理的に分離した構成要素であるが、軸ホルダ５５０に取り付けられ得る。図示される実施形態において、より具体的には、ナット５６０、５６１は、オイルレスブシングを備え得るが、種々の実施形態において、これらは、ワッシャまたは他の型のナットであり得る。
【００５７】
ここで図６を参照すると、図は、本発明の１つの実施形態による、ヘアドライヤー付属品６００の分解図を図示する。図示される実施形態において、付属品６００は、管状アダプタ（すなわち「付属品本体」）６１０、ノズル６２０、管状回転部材６３０（すなわち「ファン」）、シャフト６４０、ストッパ６５０および軸ホルダ６６０、６６５を備え得る。
【００５８】
図示される実施形態において、管状アダプタ部材６１０は、付属品本体６１０の外側部分６１３の温度を低下させるように構成される。図示される管状アダプタ６１０は、入口開口部６１１、出口開口部６１２、および外側部分６１４を備え得る。アダプタ部材６１０の入口開口部６１１は、ヘアドライヤーのバレルに取り外し可能に結合されるように適合され得る。管状アダプタ部材６１０は、取り付けられたヘアドライヤーによって発生させられた空気流を集中させるように、さらに構成され得る。
【００５９】
図示されるノズル６２０は、空気流の方向および速度を制御する。例えば、ノズル６２０は、約１５００ＲＰＭ〜２５００ＲＰＭで回転することによって、拍動空気流を発生させ得る。図示される実施形態において、ノズル６２０は、出口開口部６２１から環形状の空気流を発生させるように構成され得る。ノズル６２０の入口端６２２は、管状アダプタ部材６１０の出口開口部６１２に隣接して配置され得、そして管状アダプタ部材６１０とは無関係に回転するように適合され得る。ノズル６２０は、管状回転部材６３０にしっかりと結合され得るか、または管状回転部材６３０と一体的に形成されて１つのユニタリ構造体を提供し得る。ノズル６２０は、角度付き管状部材を備え得、この角度付き管状部材は、例えば、半円錐または切頭円錐の形状を有し得る。種々の実施形態において、このノズルは、切頭斜円錐の形状を有する。いくつかの実施形態において、この角度付き管状部材は、卵円形の開口部を有し得る。
【００６０】
ノズル６２０の出口端６２１は、管状アダプタ部材６１０の遠位出口開口部６１２に対して鋭角で配置され得る。具体的には、仮想垂線が、ノズル６２０の出口端６２１の中心を通り得、この仮想垂線は、遠位出口開口部６１２の中心を通る仮想垂線６０１と９０度未満の角度を形成する。この角度の付いたノズル開口部の構成に起因して、ノズル部材６２０が回転するとき、加熱された空気流の動く回転するパターンが発生し得、これは、乾燥させられるべき毛髪に対して操作者がヘアドライヤーを手で操作することにより達成されるものと類似である。ノズル６２０は、硬い軽量のプラスチック材料、または他の適切な材料（単数もしくは複数）から形成され得る。
【００６１】
管状回転部材６３０および軸ホルダ６６０、６６５はそれぞれ、管状アダプタ部材６１０内に配置され得る。軸ホルダ６６０、６６５は、回転軸を備え得、これらの回転軸は、付属品６００の回転する構成要素と回転しない構成要素とを接続する。
【００６２】
種々の実施形態において、空気流が、管状回転部材６３０の内部の湾曲した翼６３１に衝突するとき、管状回転部材６３０は、アダプタ部材６１０内で自由に回転する。図示される実施形態において、部材６３０は、１つ、２つ、３つ、またはより多くの翼６３１を有し得、これらの翼は、湾曲しているなどである。管状回転部材６３０の翼６３１は、規定された自由縁および側縁を有し得る。翼６３１の自由縁はまた、自由縁と側縁との間に明確な転換を伴わずに、管状回転部材６３０の内周の固定縁まで湾曲した様式で延び得る。
【００６３】
この図示される実施形態において、管状回転部材６３０の外側部分は、空気流から付属品６００の他の構成要素への熱移動を防止し得るか、または低減させ得る。
【００６４】
図示されるストッパ６５０は、シャフト６４０を支持する。このストッパは、２つ以上の支持部材６５１を備え得、これらの支持部材は、中心開口部分をストッパ６５０の中心領域に維持する。シャフト６４０は、ストッパ６５０の中心開口部分から延び得る。
【００６５】
図示されるシャフト６４０は、管状回転部材６３０内に延びるように構成され、そしてナットおよびねじ６７１、６７２、６７３、６７４、６７５を用いて軸ホルダ６６０、６６５に取り付けられるが、種々の実施形態において、他の方法で構成され得る。
【００６６】
ここで図７を参照すると、図は、本発明の１つの実施形態による、ヘアドライヤー付属品７００の分解図を図示する。図示される実施形態において、付属品７００は、管状アダプタ（すなわち「付属品本体」）７１０、ノズル７２０、管状回転部材７３０（すなわち「ファン」）、および軸ホルダ７５０を備え得る。
【００６７】
図示される実施形態において、管状アダプタ部材７１０は、付属品本体７１０の外側部分７１３の温度を低下させるように構成される。図示される管状アダプタ７１０は、入口開口部７１１、出口開口部７１２、および外側部分７１４を備え得る。アダプタ部材７１０の入口開口部７１１は、ヘアドライヤーのバレルに取り外し可能に結合されるように適合され得る。管状アダプタ部材７１０は、取り付けられたヘアドライヤーによって発生させられた空気流を集中させるように、さらに構成され得る。
【００６８】
図示されるノズル７２０は、空気流の方向および速度を制御する。例えば、ノズル７２０は、約１５００ＲＰＭ〜２５００ＲＰＭで回転することによって、拍動空気流を発生させ得る。図示される実施形態において、ノズル７２０は、出口開口部７２１から環形状の空気流を発生させるように構成され得る。ノズル７２０の入口端７２２は、管状アダプタ部材７１０の出口開口部７１２に隣接して配置され得、そして管状アダプタ部材７１０とは無関係に回転するように適合され得る。ノズル７２０は、管状回転部材７３０にしっかりと結合され得るか、または管状回転部材７３０と一体的に形成されて１つのユニタリ構造体を提供し得る。ノズル７２０は、角度付き管状部材を備え得、この角度付き管状部材は、例えば、半円錐または切頭円錐の形状を有し得る。種々の実施形態において、このノズルは、切頭斜円錐の形状を有する。いくつかの実施形態において、この角度付き管状部材は、卵円形の開口部を有し得る。
【００６９】
ノズル７２０の出口端７２１は、管状アダプタ部材７１０の遠位出口開口部７１２に対して鋭角で配置され得る。種々の実施形態において、仮想垂線が、ノズル７２０の出口端７２１の中心を通り得、この仮想垂線は、遠位出口開口部７１２の中心を（例えば、シャフト７４０に沿って）通る仮想垂線と９０度未満の角度を形成する。この角度の付いたノズル開口部の構成に起因して、ノズル部材７２０が回転するとき、加熱された空気流の動く回転するパターンが発生し得、これは、乾燥させられるべき毛髪に対して操作者がヘアドライヤーを手で操作することにより達成されるものと類似である。ノズル７２０は、硬い軽量のプラスチック材料、または他の適切な材料（単数もしくは複数）から形成され得る。
【００７０】
管状回転部材７３０および軸ホルダ７５０はそれぞれ、管状アダプタ部材７１０内に配置され得る。軸ホルダ７５０は、回転軸を備え得、この回転軸は、付属品７００の回転する構成要素と回転しない構成要素とを接続する。
【００７１】
付属品７００から方向付けられた空気が管状回転部材７３０の内部の湾曲した翼７３１に衝突するとき、管状回転部材７３０は、アダプタ部材７１０内で自由に回転する。図示される実施形態において、部材７３０は、１つ、２つ、３つ、またはより多くの翼７３１を有し得、これらの翼は、湾曲しているなどである。管状回転部材７３０の翼７３１は、規定された自由縁および側縁を有し得る。翼７３１の自由縁はまた、自由縁と側縁との間に明確な転換を伴わずに、管状回転部材７３０の内周の固定縁まで湾曲した様式で延び得る。
【００７２】
この図示される実施形態において、管状回転部材７３０は、ノズル７２０にスナップばめされ、そしてノズル７２０を制御されたＲＰＭ数（例えば、１５００ＲＰＭ〜２５００ＲＰＭ）で回転させるが、種々の実施形態において、他の方法で構成され得る。さらに、管状回転部材７３０の外側部分は、空気流から付属品７００の他の構成要素への熱移動を防止し得るか、または低減させ得る。
【００７３】
当業者は、任意の図示された実施形態からの特定の要素が、他の任意の図示された実施形態からの特定の要素と組み合わせられ得ることを理解する。例えば、当業者は、図１のプロペラ部材１１２を、図４のヘアドライヤー付属品４００と組み合わせ得る。この例において、プロペラ部材１１２は、図４の管状回転部材４３０の代わりになり得る。明示的に記載されない他の組み合わせが可能である。
【００７４】
本発明が、その特定の実施形態を参照しながら図示および記載されたが、添付の特許請求の範囲により規定される本発明の趣旨および範囲から逸脱することなく、形式および細部における種々の変更がなされ得ることが、当業者によって理解される。
【図１】
2014030722.tif 000003
【図２】
2014030722.tif 000004
【図３】
2014030722.tif 000005
【図４】
2014030722.tif 000006
【図５】
2014030722.tif 000007
【図６】
2014030722.tif 000008
【図７】
2014030722.tif 000009